(57)【要約】【課題】光ピックアップ装置の球面収差補正を目的とした小型で薄型の光学レンズ駆動装置を提供する。【解決手段】本発明の光学レンズ駆動装置は、光学レンズが取り付けられたレンズホルダと、レンズホルダを摺動可能に保持する２本のレンズホルダ摺動軸と、回転駆動力を回転出力歯車に供給する駆動装置と、駆動装置を固定配置するための支持基板と、を備え、２本のレンズホルダ摺動軸は光学レンズと、駆動装置の間に配置されており、支持基板は光学レンズの可動範囲に存在しない形状とする。【選択図】図１
2009070535.tif 000002
【特許請求の範囲】
【請求項１】
レーザ光源と対物レンズを含む光学系の光路中に、光学レンズ駆動装置を備えた光ピックアップ装置において、
前記光学レンズ駆動装置は、
光学レンズが取り付けられたレンズホルダと、
前記レンズホルダを摺動可能に保持する２本のレンズホルダ摺動軸と、
回転駆動力を回転出力歯車に供給する平面型ステップモータと、
前記２本のレンズホルダ摺動軸と、前記平面型ステップモータを固定配置するための支持基板と、を備え、
前記２本のレンズホルダ摺動軸は、前記光学レンズと前記平面型ステップモータとの間に、共に配置されており、
前記支持基板は、前記光学レンズの可動範囲が少なくとも切り欠かれた形状となっている
ことを特徴とする光ピックアップ装置。
【請求項２】
前記可動範囲は、前記光学レンズとともに、前記光学レンズを保持する保持部を含む範囲である
ことを特徴とする請求項１に記載の光ピックアップ装置。
【請求項３】
前記レンズホルダ摺動軸と前記平面型ステップモータとが、１つの前記支持基板上に固定配置されている
ことを特徴とする請求項１または２に記載の光ピックアップ装置。
【請求項４】
レーザ光源と対物レンズを含む光学系の光路中に配した光学レンズ駆動装置において、
光学レンズが取り付けられたレンズホルダと、
前記レンズホルダを摺動可能に保持する２本のレンズホルダ摺動軸と、
回転駆動力を回転出力歯車に供給する平面型ステップモータと、
前記２本のレンズホルダ摺動軸と、前記平面型ステップモータを固定配置するための支持基板と、を備え、
前記２本のレンズホルダ摺動軸は、前記光学レンズと前記平面型ステップモータとの間に配置されており、
前記支持基板は、前記光学レンズの可動範囲が少なくとも切り欠かれた形状となっている
ことを特徴とする光学レンズ駆動装置。
【発明の詳細な説明】
【技術分野】
【０００１】
本発明は、光学レンズを光軸方向に移動させる薄型の光学レンズ駆動装置を備えた光ピックアップ装置、およびその光学レンズ駆動装置に関するものである。
【背景技術】
【０００２】
従来から、ＤＶＤ等の光ディスクの再生又は記録を行う光ディスク装置に搭載される光ピックアップ装置は、光源から発振された光ビームを、光ディスクの記録層に照射して、情報の読み込み、または書き込みをするための装置として用いられる。この光ピックアップ装置は、種々の要因により発生する波面収差の影響を受けて、情報の読み取りまたは書き込み性能が劣化することが問題となっている。この波面収差には、光ディスクのチルト角等に起因するコマ収差や、光ディスクのカバー層の厚み誤差や情報記録面の多層化に伴う球面収差、及び光学系に起因する非点収差などが存在する。これらの収差の中で特に前述の球面収差は、光ディスクの記録密度が高密度化するに伴って影響が大きくなり、この球面収差を補正する技術が、今後の光ディスクの高密度化を実現する重要な要素の一つになっている。特に、今後、需要が急増すると予測されるＢｌｕ−ｒａｙディスク等の高密度光ディスク向け記録・再生用光ディスク装置では、球面収差補正機能を備えることが必須である。
【０００３】
この球面収差を補正するために、光学レンズを光軸方向に移動させて球面収差を打ち消す手段を備えた光ピックアップ装置が開示されている（例えば特許文献１参照）。図５は、この従来の光学レンズ駆動装置の構成を示す図面である。
【０００４】
この光ピックアップ装置は、レーザ光源と、レーザ光源から出射される光ビームを高密度の光ディスクの記録層に集光させる対物レンズと、レーザ光源と対物レンズの間に、球面収差を打ち消すための光学レンズ駆動装置を備えている。
【０００５】
そして、図５に示す様に、この光ピックアップ装置に搭載される光学レンズ駆動装置１６０は、光学レンズ１８を支持するレンズホルダ１６３が、レンズホルダ摺動軸１６１、１６２にガイドされて、筒型モータ１６４の回転駆動力を直線駆動力に変換するギア機構１６５により移動する。そのギア機構１６５は、筒型モータ１６４の回転駆動力を伝えるための第１のギア１６７に歯合する第２のギア１６８と、第２のギアのウォームと歯合する第３のギア１６９の回転駆動力が、２枚のラック１６８ａ、１６８ｂからなるラック１６６が一体となったレンズホルダ１６３に伝わって、光学レンズ１８を移動できる様になっている。また、支持基板１７０には、筒型モータ１６４と、ギア機構１６５とが固定載置されて一体となっている。なお、本図中の１７１は、第３のギア１６９とラック１６６とのバックラッシュを抑えるためのバネである。
【０００６】
【特許文献１】特開２００２−３１２９７１号公報（第４頁、第８頁、第２−３図）
【発明の開示】
【発明が解決しようとする課題】
【０００７】
ノート型パソコンなどに搭載される、光ピックアップ装置を含む光ディスク装置の厚みには、１２．７ｍｍまたは９．５ｍｍという規格がある。そのため、このような外径サイズの大きい光学レンズ駆動装置１６０では、ノート型パソコンなどに搭載される光ディスク装置に組み込んで用いることが大変困難となる。特に、Ｂｌｕ−ｒａｙディスク等の高密度光ディスク向け光ディスク装置では、使用するレーザ光源の追加に伴って、搭載しなければならない部品点数が増加し、光ピックアップ装置のサイズが大きく、高さも高くな
ってしまうという問題がある。そのため、光ピックアップ装置の中に光学レンズ駆動装置を搭載するスペースが限られるため、装置サイズを小さくしなくてはならない。
【０００８】
ところが、この特許文献１に記載の光学レンズ駆動装置１６０における筒型モータ１６４は、外形を小さくすると必要なトルクが得られないため、ある程度大きな外形にする必要がある。また、この筒型モータ１６４からの駆動力を伝達する歯車類は、回転方向を横方向から縦方向に９０度変換する変換機構であるギア機構１６５を有する構造を採用しているので、機構が複雑でスペース効率が悪く、また高さ方向にも厚みがある。
【０００９】
この様に、この従来の光学レンズ駆動装置では、薄型化の要求が強い光ピックアップ装置向けの装置として、形状、および厚み対策がまだ不十分である。
【００１０】
また、この従来の光学レンズ駆動装置１６０は、筒型モータ１６４と第２のギア１６８と第３のギア１６９とが、支持基板１７０に固定載置されて一体となっている。ところが、レンズホルダ摺動軸１６１、１６２が固定部材でありながら、別部材により固定する構造となっている。レンズホルダ摺動軸１６１、１６２が、支持基板１７０とは別部材で固定されるとなると、光学レンズ駆動装置を、光ピックアップ本体に組み込む際に、２つの固定部の位置合わせが必要となり、部品組み立て精度に影響を与える。
【００１１】
本発明の目的は上記課題を解決し、球面収差補正を目的とした小型であり、かつ光ピックアップ装置への組み込みが容易な光学レンズ駆動装置を搭載した、高密度光ディスク向け記録・再生用光ディスク装置に搭載される光ピックアップ装置、およびその光学レンズ駆動装置を提供することである。
【課題を解決するための手段】
【００１２】
上記課題を解決するために、本発明の光ピックアップ装置及び光学レンズ駆動装置は、基本的に下記記載の構成を採用するものである。
【００１３】
本発明の光ピックアップ装置は、レーザ光源と対物レンズを含む光学系の光路中に、光学レンズ駆動装置を備えた光ピックアップ装置において、この光学レンズ駆動装置が、光学レンズが取り付けられたレンズホルダと、レンズホルダを摺動可能に保持する２本のレンズホルダ摺動軸と、回転駆動力を回転出力歯車に供給する平面型ステップモータと、２本のレンズホルダ摺動軸と、平面型ステップモータを固定配置するための支持基板とを備え、上記２本のレンズホルダ摺動軸が、光学レンズと平面型ステップモータとの間に、共に配置されており、上記支持基板を、光学レンズの可動範囲が少なくとも切り欠かれた形状としたことを特徴とするものである。
【００１４】
また、本発明の光ピックアップ装置は、前述した可動範囲が、光学レンズとともに、光学レンズを保持する保持部を含む範囲であることを特徴とするものである。
【００１５】
また、本発明の光学ピックアップ装置は、前述したレンズホルダ摺動軸と平面型ステップモータとが、１つの支持基板上に固定配置されていることを特徴とするものである。
【００１６】
また、本発明の光学レンズ駆動装置は、レーザ光源と対物レンズを含む光学系の光路中に配した光学レンズ駆動装置において、光学レンズが取り付けられたレンズホルダと、レンズホルダを摺動可能に保持する２本のレンズホルダ摺動軸と、回転駆動力を回転出力歯車に供給する平面型ステップモータと、２本のレンズホルダ摺動軸と平面型ステップモータを固定配置するための支持基板とを備え、上記２本のレンズホルダ摺動軸を、光学レンズと平面型ステップモータとの間に配置し、上記支持基板を、光学レンズの可動範囲が少なくとも切り欠かれた形状としたことを特徴とするものである。
【発明の効果】
【００１７】
本発明によれば、２本のレンズホルダ摺動軸は、光学レンズと平面型ステップモータの間に配置されており、支持基板部材の一部が、光学レンズの可動範囲に存在しない構成としたため、従来の構成と比べて、光学レンズ駆動装置の光学レンズ部分の厚みを支持基板部材の板厚の大きさの分だけ薄くすることができる。
【００１８】
更に、本構成によれば、支持基板の平面方向の形状についても同様に小さくすることができる。その結果、光学レンズ駆動装置の平面方向、厚み方向の大きさを低減することができ、小型の光学レンズ駆動装置を提供することができる。
【００１９】
また、本発明の光学レンズ駆動装置は、平面型ステップモータと、レンズホルダ摺動軸を一体として支持基板に固定載置しているので、光ピックアップ本体にこの装置の組み込みを容易とする。
【発明を実施するための最良の形態】
【００２０】
以下図面により本発明の実施の形態を詳述する。なお、以下に示す本発明の光ピックアップ装置は、図５を使って説明をした、従来の構成として説明をした２本のレンズホルダ摺動軸に係合させて、レンズホルダを介して光学レンズを両側から支持する構造に代えて、２本のレンズホルダ摺動軸が、光学レンズと平面型ステップモータの間に共に並べて配置する構造としてある。この様に構成することで、レンズホルダ摺動軸と、平面型ステップモータを一つの支持基板に集約して固定載置することができ、かつ支持基板部材の一部を、光学レンズを保持するレンズホルダの可動範囲の下に設ける必要がなくなる。その結果、光学レンズ駆動装置の平面方向、厚み方向のサイズを低減することができ、小型の光学レンズ駆動装置を提供することができる。この構成の更に詳細な説明を、図面を使って説明する。
【実施例１】
【００２１】
まず、本発明の光学レンズ駆動装置の実施例１の構成を、図１に基づいて説明する。図１は、本発明の実施例１に係わる光学レンズ駆動装置の概略を示す斜視図である。
【００２２】
図１において、１ａは、本発明の実施例１の光学レンズ駆動装置である。２は、光学レンズ駆動装置１ａの主な部品を平面状に配設し搭載する支持基板である。この支持基板２の一部は、略直角に立ち上がった支持壁２ａ、２ｂを有している。３は、光学レンズ（コリメータレンズ）であり、レンズホルダ４によって支持されている。
【００２３】
１１は、駆動手段として作用してラック３０にステップモータ１０からの出力を伝えるための回転出力歯車であり、ステップモータ１０の表面から突出して配設される。ラック３０は、回転出力歯車１１と歯合して、回転出力歯車１１の回転運動を直線運動に変換する。ここで示すステップモータ１０は、図示しない、永久磁石からなるロータと、ステータと、ステータに固定されたコイルとを平面状に配置した平面型ステップモータである。また、このモータの回転方向は、駆動力を伝達する歯車類と同一の縦方向であるので、回転方向を変換する必要のない単純な機構によって薄型化を実現している。
【００２４】
また、３２ａ、３２ｂは、２本のレンズホルダ摺動軸であり、それぞれ光学レンズ３の光軸５と平行に支持基板２に固定される。すなわち、２本のレンズホルダ摺動軸３２ａ、３２ｂの両端は、それぞれ支持基板２の一部立ち上がった支持壁２ａと支持壁２ｂによって並べて支持される。また、レンズホルダ４は、この２つのレンズホルダ摺動軸３２ａ、３２ｂと摺動自在に係合し、回転出力歯車１１からの駆動力によってラック３０が移動すると、レンズホルダ４とレンズホルダ４に支持される光学レンズ３は、係合するレンズホ
ルダ摺動軸３２ａ、３２ｂにガイドされて光軸５の方向に移動する。
【００２５】
また、ステップモータ１０を駆動するモータ駆動信号を、外部と入出力する方法としては、図示しないフレキシブルプリント基板やリード線などを用いそれぞれの端子を介して行う。
【００２６】
次に、本発明の光学レンズ駆動装置の特徴部分について、図２を用いて更に詳細に説明する。図２は、図１に示した光学レンズ駆動装置の分解図である。
【００２７】
図２に示す様に、レンズホルダ４には、対となる貫通孔２ａ−１、２ａ−２と、貫通穴２ｂ−１、２ｂ−２が形成されており、これら貫通孔に２本のレンズホルダ摺動軸３２ａ、３２ｂがそれぞれ挿入して、接着などにより支持基板２に固定されている。そして、レンズホルダ４に設けられたラック３０と、ステップモータ１０の回転出力歯車１１とを歯合させて、ステップモータ１０は支持基板２の領域Ｂ２に載置され、レンズホルダ４が図中の可動範囲Ｂ１の範囲内で可動する。
【００２８】
そして、支持基板２は、この可動範囲Ｂ１と重なり合うエリア（光学レンズ３とこの光学レンズ３を保持する保持部を含むエリア）が、少なくとも切り欠かれた形状となっている。さらに、この支持基板２は、レンズホルダ摺動軸３２ａ、３２ｂとともにステップモータ１０を固定して、レンズホルダ４のＡ方向への移動を可能とする。この様に、支持基板２上にステップモータ１０とレンズホルダ摺動軸３２ａ、３２ｂを一体化して固定している。言い換えれば、固定部品を一部品化しているので、光ピックアップ本体に、この光学レンズ駆動装置を組み込みが容易となる。
【００２９】
以上、図１、図２で示したように、ステップモータ１０は、支持基板２に直接固着され、また、ラック３０とレンズホルダ４は一体化されてレンズホルダ摺動軸３２ａ、３２ｂを介して支持基板２に配設される。この様に、２本のレンズホルダ摺動軸３２ａ、３２ｂを、光学レンズ３とステップモータ１０の間に並べて配置するとともに、レンズホルダ４の可動範囲の下の支持基板２が、切り欠かれた形状となっているため、光学レンズ駆動装置１ａの光学レンズ３部分の厚み（図中のＺ方向の厚み）は、支持基板２の板厚の大きさ分だけ薄くすることができ、更に、支持基板２の面積（図中のＸＹ平面の面積）を小さくすることができる。その結果、光学レンズ駆動装置１ａの平面方向（ＸＹ平面）、厚み方向（Ｚ方向）の大きさを、極限まで低減することができ、小型の光学レンズ駆動装置１ａとすることができる。また、支持基板２によって、平面型ステップモータ１０と、これら他の部材が一体化されるので、振動や衝撃に強く、小型の光ピックアップ装置への搭載に好適な光学レンズ駆動装置１ａとすることができる。
【００３０】
また、支持基板２のレンズホルダ摺動軸を保持するための穴を、同じ支持壁に２本分形成できるため、穴の位置精度を良くする上で有利であり、２本のレンズホルダ摺動軸３２ａ、３２ｂの平行度を良好にすることができる。そして、上記作用を受けて、本発明の光学レンズ駆動装置１ａは、所定の方向に光学レンズ３の移動したとしても、光軸５が傾いたりすることなく、精度良く球面収差を補正することができる様になる。
【００３１】
次に、本発明の実施例１の作用を図１に基づいて説明する。
モータ駆動信号が入力されると、ステップモータ１０のコイル１４ａ、１４ｂに駆動電流が流れ、図示しないロータが励起されて回転を開始する。ロータが回転すると、その駆動力は図示しないトルク増大歯車に伝達され、回転スピードが減速されると共に増大したトルクが回転出力歯車１１に伝達されて回転出力歯車１１が回転する。
【００３２】
そして、回転出力歯車１１に歯合しているラック３０によって回転運動が直線運動に変
換され、ラック３０と一体化されているレンズホルダ４は、２本のレンズホルダ摺動軸３２ａ、３２ｂにガイドされながら摺動する。これにより、レンズホルダ４により支持されている光学レンズ３は、光軸５に沿って移動する。尚、ステップモータ１０は可逆モータであるので、モータ駆動信号によって自在に正転・逆転が可能であり、これによって、光学レンズ３は、光軸５に沿って前後自在に移動することができる。
【００３３】
また、バネ３３によりレンズホルダ４を介してラック３０をＹ方向に引っ張り、ラック３０と回転出力歯車１１にバックラッシュが生じることを防いでいる。
【００３４】
以上のように、本発明の光学レンズ駆動装置１ａは、平面型のステップモータ１０を採用し、且つ、２本のレンズホルダ摺動軸３２ａ、３２ｂを、光学レンズ３とステップモータ１０の間に配置する構成により、支持基板２の一部が光学レンズ３の可動範囲に存在しないため、光学レンズ駆動装置１ａの平面方向（ＸＹ平面方向）、厚み方向（Ｚ方向）の大きさを低減することができるようになる。これにより、小型の光学レンズ駆動装置を提供することができる。
【００３５】
次に、本発明の実施例１の光ピックアップ装置の全体構成の概略を図３のブロック図に基づいて説明する。図３は、本発明の実施例１に係わる光学レンズ駆動装置を搭載し光学レンズが一つによって構成される光ピックアップ装置の構成を示すブロック図である。
【００３６】
図３において、６０は本発明の実施例１の光ピックアップ装置であり、その内部に本発明の光学レンズ駆動装置１ａが組み込まれている。また、光ピックアップ装置６０の内部には、３つのレーザ光源４１ａ、４１ｂ、４１ｃが備えられている。
【００３７】
ここで、レーザ光源４１ａは、例えば、波長λ＝４０５ｎｍのレーザ光である光ビーム４２ａを発し、Ｂｌｕ−ｒａｙディスク等の高密度光ディスクに対応する。レーザ光源４１ｂは、例えば、波長λ＝７８５ｎｍのレーザ光である光ビーム４２ｂを発し、ＣＤ等の光ディスクに対応する。レーザ光源４１ｃは、例えば、波長λ＝６６０ｎｍのレーザ光である光ビーム４２ｃを発し、ＤＶＤ等の光ディスクに対応する。
【００３８】
また、４３ａ、４３ｂはプリズムであり、レーザ光源４１ａの光路上に配置され、プリズム４３ａは、レーザ光源４１ｂからの光ビーム４２ｂを入射して光路を９０度変更する。また、プリズム４３ｂは、レーザ光源４１ｃからの光ビーム４２ｃを入射して光路を９０度変更する。これにより、光ビーム４２ｂ、４２ｃの光路は、光ビーム４２ａの光路と一致する。４４は偏向ビームスプリッタ（以下、ＰＢＳと略す）であり、光ビーム４２ａ、４２ｂ、４２ｃを通過して、後述する反射光４２ｄの光路を９０度変更する。
【００３９】
また、４５はλ／４位相差板であり、４６は対物レンズであり、共に光ビーム４２ａ〜４２ｃの光路中に配置される。そして、本発明の光学レンズ駆動装置１ａは、３つのレーザ光源４１ａ、４１ｂ、４１ｃと対物レンズ４６を含む光学系の光路中に備えられて球面収差補正を行う。すなわち、光学レンズ駆動装置１ａの光学レンズ３は、光ビーム４２ａ〜４２ｃの光路中に置かれ、駆動ＩＣ６２からのモータ駆動信号Ｍ１がステップモータ１０に供給され、ステップモータ１０は、図１に示した回転出力歯車１１とラック３０を介して光学レンズ３を移動する。
【００４０】
また、液晶素子７１は、光学レンズ駆動装置１ａとλ／４位相差板４５の間に配設され、駆動ＩＣ６２からの液晶駆動信号Ｏ１が液晶素子７１に供給して収差補正を行う。尚、駆動ＩＣ６２は、外部から制御信号Ｃ１を入力してステップモータ１０と液晶素子７１の制御を実行する。
【００４１】
また、４７は情報の再生又は記録が可能な光ディスクであり、対物レンズ４６によって集光された光ビーム４２ａ〜４２ｃが照射され、反射光４２ｄが反射される。４８は集光レンズであり、ＰＢＳ４４によって光路が９０度変更された反射光４２ｄの光路中に配置される。４９は光検出器であって、集光レンズ４８からの反射光４２ｄを入射して電気信号に変換する。
【００４２】
次に、図３に基づいて本発明の実施例１の光ピックアップ装置６０の作用を説明する。尚、光ピックアップ装置６０に搭載される本発明の光学レンズ駆動装置１ａに関連する重複する説明は一部省略する。また説明の前提として、Ｂｌｕ−ｒａｙディスク等の高密度光ディスクを再生する場合を想定して説明する。
【００４３】
図３において、レーザ光源４１ａから４０５ｎｍの光ビーム４２ａが発せられると、光ビーム４２ａは、２つのプリズム４３ａ、４３ｂとＰＢＳ４４を通過し、更に光学レンズ駆動装置１ａの光学レンズ３と液晶素子７１を通過する。
【００４４】
そして、光ビーム４２ａはλ／４位相差板４５と対物レンズ４６を通過し、対物レンズ４６によって集光されて、Ｂｌｕ−ｒａｙディスク等の高密度光ディスク４７の情報記録面に照射される。光ディスク４７に照射された光ビーム４２ａは、光ディスク４７の情報記録面で反射して反射光４２ｄとなって再び対物レンズ４６とλ／４位相差板４５を通過する。λ／４位相差板４５を通過した反射光４２ｄは、再び液晶素子７１と光学レンズ駆動装置１ａの光学レンズ３を通過してＰＢＳ４４に入射する。
【００４５】
ＰＢＳ４４に入射した反射光４２ｄは、ＰＢＳ４４で光路が９０度変更されて、集光レンズ４８によって集光されて光検出器４９に入射する。光検出器４９は、反射光４２ｄの強弱を電気信号に変換し、図示しないが光検出信号を外部のコントローラに送り、光ディスク４７に記録された情報を再生する。また、光検出信号を入力するコントローラは、光ビーム４２ａとその反射光４２ｄの収差を補正するために光学レンズ駆動装置１ａの駆動ＩＣ６２に制御信号Ｃ１を出力し、ステップモータ１０と液晶素子７１を制御して収差を補正し、最適な反射光４２ｄを得る。
【００４６】
ここで、光学レンズ駆動装置１ａは、駆動ＩＣ６２からのモータ駆動信号Ｍ１によってステップモータ１０を駆動し、光学レンズ３は、矢印Ａの方向に移動し、対物レンズ４６との位置関係を変化させることにより、光ディスク４７のカバー層の厚み誤差等による球面収差を補正する。特に、Ｂｌｕ−ｒａｙディスク等の高密度光ディスクの再生／記録では、この球面収差が性能に大きく影響するので、球面収差補正は重要である。
【００４７】
また、液晶素子７１を、光学レンズ駆動装置１ａとλ／４位相差板４５との間に備えることにより、球面収差の補正を行ったり、光ディスク４７のチルト角等に起因するコマ収差や光学系に起因する非点収差等の補正を行う。このように、本発明の光ピックアップ装置６０に、本発明の光学レンズ駆動装置１ａを組み込むことにより、液晶素子７１と共に機能して光ビームの複数の収差を一括して補正することができるので、特に、Ｂｌｕ−ｒａｙディスク等の高密度光ディスクや多層記録光ディスクの再生／記録に好適となる。
【００４８】
尚、ＣＤ等の光ディスクに対応するレーザ光源４１ｂとＤＶＤ等の光ディスクに対応するレーザ光源４１ｃがそれぞれ発する光ビーム４２ｂ、４２ｃは、それぞれの光路上にあるプリズム４３ａ、４３ｂで光路が９０度変更され、その後の光路は光ビーム４２ａと同じ光路を通り、作用は基本的に同じであるので、以降の説明は省略する。
【００４９】
以上のように本発明の光ピックアップ装置６０は、光学レンズ駆動装置１ａによって球面収差補正を行い、また、液晶素子７１によってコマ収差や非点収差等の補正を行うこと
ができるので、高精度な収差補正を必要とする高密度光ディスクの記録・再生に好適である。また、光学レンズ駆動装置１ａを搭載することで、ノート型パソコンや携帯型ビデオ再生機などの携帯性が重要視される電子機器に搭載される薄型の記録・再生用光ディスク装置に極めて好適な光ピックアップ装置６０を提供することができる。
【実施例２】
【００５０】
次に、図４に基づいて本発明の実施例２の光ピックアップ装置の全体構成の概略を説明する。図４は、本発明の実施例２に係わる光学レンズ駆動装置を搭載し光学レンズが２つによって構成される光ピックアップ装置の構成を示すブロック図である。ここで、実施例２の光ピックアップ装置の特徴は、搭載される光学レンズ駆動装置が球面収差補正のための２つの光学レンズで構成されたビームエキスパンダとしている点である。尚、実施例１と同一要素には同一番号を付し、重複する説明は省略する。
【００５１】
図４において、５０は本発明の実施例２の光ピックアップ装置であり、その内部に本発明の光学レンズ駆動装置１ｂが組み込まれている。光学レンズ駆動装置１ｂは、実施例１で示した光学レンズ駆動装置１ａと基本的に同じであるが、２つの光学レンズを有し、そのうちの一つの光学レンズがステップモータによって移動される点が異なる。
【００５２】
ここで、光ピックアップ装置５０の内部には、レーザ光源４１ａが備えられている。レーザ光源４１ａは、例えば、波長λ＝４０５ｎｍのレーザ光である光ビーム４２ａを発し、Ｂｌｕ−ｒａｙディスク等の高密度光ディスクに対応する。
【００５３】
また、光ビーム４２ａの光路上には、コリメータレンズ５１とＰＢＳ４４と液晶素子７１とλ／４位相差板４５と対物レンズ４６が配置される。そして、本発明の光学レンズ駆動装置１ｂは、ＰＢＳ４４とλ／４位相差板４５の間に置かれ、光学レンズ駆動装置１ｂの２つの光学レンズとしての凹レンズ８１と凸レンズ８２は、光ビーム４２ａの光路上に配置されている。
【００５４】
また、光学レンズ駆動装置１ｂの駆動ＩＣ６２は、実施例１と同様に、制御信号Ｃ１を入力し、液晶駆動信号Ｏ１を出力して液晶素子７１を駆動し、また、モータ駆動信号Ｍ１を出力してステップモータ１０を駆動し、凹レンズ８１を矢印Ａの方向に移動する。他の構成は、実施例１と同様であるので説明は省略する。尚、実施例２では、実施例１の構成要素であるレーザ光源４１ｂ、４１ｃ等は省略している。
【００５５】
次に、図４に基づいて本発明の実施例２の光ピックアップ装置５０の作用を説明する。尚、説明の前提として、Ｂｌｕ−ｒａｙディスク等の高密度光ディスクを再生する場合を想定して説明する。
図４において、レーザ光源４１ａから４０５ｎｍの光ビーム４２ａが発せられると、光ビーム４２ａは、コリメータレンズ５１とＰＢＳ４４を通過し、更に、光学レンズ駆動装置１ｂの凹レンズ８１と凸レンズ８２、及び液晶素子７１を通過する。
【００５６】
そして、液晶素子７１から出射した光ビーム４２ａは、λ／４位相差板４５と対物レンズ４６を通過し、対物レンズ４６によって集光されてＢｌｕ−ｒａｙディスク等の高密度光ディスク４７の情報記録面に照射される。光ディスク４７に照射された光ビーム４２ａは、光ディスク４７の情報記録面で反射して反射光４２ｄとなって再び対物レンズ４６とλ／４位相差板４５を通過する。λ／４位相差板４５を通過した反射光４２ｄは、再び液晶素子７１と光学レンズ駆動装置１ｂの凸レンズ８２と凹レンズ８１を通過し、ＰＢＳ４４に入射する。
【００５７】
そして、ＰＢＳ４４に入射した反射光４２ｄは、ＰＢＳ４４で光路が９０度変更されて
集光レンズ４８によって集光されて光検出器４９に入射する。光検出器４９は、反射光４２ｄの強弱を電気信号に変換し、図示しないが、光検出信号を外部のコントローラに送り、光ディスク４７に記録された情報を再生する。また、光検出信号を入力するコントローラは、光ビーム４２ａとその反射光４２ｄの収差を補正するために光学レンズ駆動装置１ｂに制御信号Ｃ１を出力し、ステップモータ１０と液晶素子７１を制御して収差を補正し、最適な反射光４２ｄを得る。
【００５８】
このように、実施例２の光ピックアップ装置５０は、光学レンズ駆動装置１ｂを搭載し、２つの光学レンズのうち、凹レンズ８１を移動することによって光ビームの球面収差を補正することができる。また、本実施例の光ピックアップ装置５０は、球面収差補正を２つの光学レンズによって行うので、球面収差を高精度に行うことができる。尚、光学レンズ駆動装置１ｂによって移動する光学レンズは、凸レンズ８２でも良く、また、凹レンズ８１と凸レンズ８２の両方でも良い。
【００５９】
以上のように、本発明の実施例２の光ピックアップ装置５０は、実施例１の光ピックアップ装置６０と同様な機能を備え、高密度光ディスクの記録・再生に好適であると共に、ノート型パソコンなどの携帯性が重要視される電子機器に搭載される薄型の記録・再生用光ディスク装置に好適である。尚、本発明の実施例で示した斜視図やブロック図は、この構成に限定されるものではなく、本発明の要旨を満たすものであれば、どのような構成であっても良い。
【００６０】
また、本発明の光学レンズ駆動装置１ａ、１ｂは、薄型化を目的として駆動装置に平面型のステップモータを用いているが、装置の厚みを増しても問題なければ、平面型のステップモータに代えて、円筒型のステップモータ、ＤＣモータなどを用いても構わない。
【００６１】
また、本発明の光学レンズ駆動装置１ａ、１ｂは、光ピックアップ装置５０、６０の球面収差補正を目的とした薄型の光学レンズ駆動装置として提示したが、この目的に限定されるものではない。例えば、薄型小型の特徴を生かして、携帯電話等に搭載される小型撮像装置や監視カメラのオートフォーカス用光学レンズ駆動装置など、様々な光学装置に好適である。
【図面の簡単な説明】
【００６２】
【図１】本発明の実施例１に係わる光学レンズ駆動装置の概略を示す斜視図である。
【図２】本発明の実施例１に係わる光学レンズ駆動装置の構成を示す分解図である。
【図３】本発明の実施例１に係わる光学レンズ駆動装置を搭載し光学レンズが一つによって構成される光ピックアップ装置の構成を示すブロック図である。
【図４】本発明の実施例２に係わる光学レンズ駆動装置を搭載し光学レンズが２つによって構成される光ピックアップ装置の構成を示すブロック図である。
【図５】従来の光学レンズ駆動装置の斜視図である。
【符号の説明】
【００６３】
１ａ、１ｂ  光学レンズ駆動装置
２  支持基板
２ａ、２ｂ  支持壁
３  光学レンズ
４  レンズホルダ
５  光軸
１０  ステップモータ
１１  回転出力歯車
１４ａ、１４ｂ  コイル
３０  ラック
３２ａ、３２ｂ  レンズホルダ摺動軸
３３  バネ
５０、６０  光ピックアップ装置
４１ａ、４１ｂ、４１ｃ  レーザ光源
４２ａ、４２ｂ、４２ｃ  光ビーム
４２ｄ  反射光
４３ａ、４３ｂ  プリズム
４４  偏向ビームスプリッタ（ＰＢＳ）
４５  λ／４位相差板
４６  対物レンズ
４７  光ディスク
４８  集光レンズ
４９  光検出器
６２  駆動ＩＣ
７１  液晶素子
８１  凹レンズ
８２  凸レンズ
【図１】
2009070535.tif 000003
【図２】
2009070535.tif 000004
【図３】
2009070535.tif 000005
【図４】
2009070535.tif 000006
【図５】
2009070535.tif 000007